(57)【要約】  特にスポーツシューズなどの履き物は、成形された合成材料からなるソール（３）を備える。前記ソール（３）内には、内部剛性手段（４）が設けられている。前記剛性手段は、糸形状または薄くて細長い形状をなし、かつ、複数の中間曲げ部（４Ａ）を形成する挿入物（４）を少なくとも含む。前記中間曲げ部（４Ａ）は、前記挿入物（４）の展開に沿って、ソール（３）の少なくとも一部分において横並びで延びている２つ以上の伸張部（４Ｂ，４Ｄ）を画定する。横並びに配置された前記伸張部（４Ｂ，４Ｄ）は、前記部分について要求される堅さの種類に応じて、ソール（３）のほぼ長手方向またはほぼ横方向に延びている。
2005512712.tif 000002
【特許請求の範囲】
【請求項１】
内部剛性手段（４，５）を有する成形された合成材料からなるソール（３，３０）を備えた特にスポーツシューズなどの履き物において、
前記剛性手段（４，５）は、糸形状または薄くて細長い形状をなし、かつ、複数の中間曲げ部（４Ａ）を有する第１の挿入物（４）を少なくとも含み、前記中間曲げ部（４Ａ）は前記第１の挿入物（４）の展開に沿って、横並びで配置された２つ以上の伸張部（４Ｂ，４Ｄ）を画定し、前記伸張部（４Ｂ）は前記ソール（３，３０）の少なくとも一部分において、前記部分に要求される堅さの種類に応じて前記ソールのほぼ長手方向またはほぼ横方向に延びていることを特徴とする履き物。
【請求項２】
前記第１の挿入物（４）は、横並びで配置された前記伸張部（４Ｂ）が前記ソール（３，３０）のほぼ中央部分において前記ソールの長手方向に延びている第１の部分（Ｍ）を少なくとも備えていることを特徴とする請求項１に記載の履き物。
【請求項３】
前記第１の挿入物（４）は、前記ソール（３，３０）の前方部分および後方部分の少なくとも１つの部分において延びている第２の部分（Ａ，Ｐ）を少なくとも備え、前記第２の部分（Ａ，Ｐ）において横並びで配置された前記伸張部（４Ｄ）は前記ソール（３，３０）のほぼ横方向に延びていることを特徴とする請求項２に記載の履き物。
【請求項４】
前記剛性手段（４，５）は、糸形状または薄くて細長い形状をなし、かつ、前記第１の挿入物（４）から分離して前記ソール（３，３０）の異なる部分に配置されている第２の挿入物（５）を少なくとも含むことを特徴とする請求項１に記載の履き物。
【請求項５】
前記第２の挿入物（５）は、前記第２の挿入物（５）の展開に沿って、横並びで配置された２つ以上の伸張部（４Ｄ）をその間に画定する複数の中間曲げ部（４Ａ）を有することを特徴とする請求項４に記載の履き物。
【請求項６】
前記第２の挿入物（５）の横並びで配置された前記伸張部（４Ｄ）は、前記ソール（３，３０）の長手方向に対してほぼ横方向に延びていることを特徴とする請求項５に記載の履き物。
【請求項７】
前記第１の挿入物（４）および／または前記第２の挿入物（５）は終端部のない閉じた展開を有することを特徴とする前記請求項のいずれかに記載の履き物。
【請求項８】
前記第１の挿入物（４）および／または前記第２の挿入物（５）は各終端部に曲げ部（４Ｃ）を有することを特徴とする請求項１ないし６のいずれかに記載の履き物。
【請求項９】
前記曲げ部（４Ａ，４Ｃ）の少なくとも幾つかは、前記ソール（３，３０）に一体化または結合されたスタッド（３Ａ，３Ｂ）に対応して位置していることを特徴とする前記請求項のいずれかに記載の履き物。
【請求項１０】
前記第１の挿入物（４）および／または前記第２の挿入物（５）は、好ましくは鉄鋼製の金属ワイヤからなることを特徴とする前記請求項のいずれかに記載の履き物。
【請求項１１】
前記ソール（３，３０）は底ソールであることを特徴とする前記請求項のいずれかに記載の履き物。
【請求項１２】
前記ソール（３，３０）は中間ソールであることを特徴とする前記請求項のいずれかに記載の履き物。
【請求項１３】
ソール（３，３０）が上部（２）に結合され、前記ソールは合成材料からなるとともに内部剛性手段（４，５）が一体化されている特にスポーツシューズなどの履き物の製造方法において、前記ソール（３，３０）を得るために、
糸形状または薄くて細長い形状の少なくとも第１の部材（４）を形成し、前記第１の部材（４）は、前記第１の部材（４）の展開に沿って、横並びで配置された２つ以上の伸張部（４Ｂ，４Ｄ）をその間に画定する複数の中間曲げ部（４Ａ）を有しており、
横並びで配置された前記伸張部（４Ｂ，４Ｄ）が前記ソール（３，３０）の堅くしたい所望の部分に配置されるとともに、前記横並びで配置した前記伸張部（４Ｂ，４Ｄ）が前記部分に要求される堅さの種類に応じて前記ソール（３，３０）のほぼ長手方向またはほぼ横方向に延びるようにして、前記ソール（３，３０）を得るための型内に前記第１の部材（４）を挿入し、
前記型内に前記合成材料を高温注入する、ことを特徴とする履き物の製造方法。
【請求項１４】
前記第１の糸状部材（４）は幾つかの部分（Ａ，Ｍ，Ｐ）を有するように形成され、前記各部分は、前記ソール（３，３０）の対応部分を堅くするために前記型の各部分に位置するように設けられていることを特徴とする請求項１３に記載の履き物の製造方法。
【請求項１５】
糸形状または薄くて細長い形状の少なくとも第２の部材（５）を形成することをさらに含み、前記第２の部材（５）は複数の中間曲げ部（４Ａ）を有し、前記中間曲げ部（４Ａ）の間に、前記第２の部材（５）の展開に沿って、横並びに配置された２つ以上の伸張部が画定されていることを特徴とする請求項１３に記載の履き物の製造方法。
【請求項１６】
前記第２の部材（５）は、横並びに配置された各伸張部４（Ｄ）が前記第１の部材（４）の横並びに配置された前記伸張部（４Ｂ）の伸張方向に対してほぼ横方向に延びているように、前記型内に挿入されることを特徴とする請求項１５に記載の履き物の製造方法。
【請求項１７】
前記第１の部材（４）は、前記曲げ部（４Ａ）の少なくとも幾つかが前記ソール（３，３０）のスタッド（３Ａ，３Ｂ）に対応するように、前記型内に配置されることを特徴とする請求項１３に記載の履き物の製造方法。
【発明の詳細な説明】
【技術分野】
【０００１】
本発明は、履き物、特にスポーツシューズの分野に関するとともに、履き物の製造方法に関する。
【背景技術】
【０００２】
ある種のシューズ（主としてサッカー、ランニング、テニスなどのスポーツで使用されるシューズ）の性能に対応したり改良したりするために、１つまたは複数の各領域を堅くした、合成材料からなるソール(soles)を使用したものが知られている。
【０００３】
当該分野の現在の状況では、上述したように堅くすることは、ソールの本体内に多少の堅い挿入物(inserts)を設けることによって得られ、このような挿入物はソールを成形するのに使用されるものと同じ種類の合成材料からなっている。
【０００４】
前記公知の方法は、ソールの全体重量の増加をもたらすとともに、前記挿入物を構成することになる合成材料の構成部分を成形する必要性によって決定される追加の生産コストを伴う。
【０００５】
また、上述した従来技術では、ソールの底本体(base body)と堅くした挿入物との間で破損を生じるという欠点がある。
【発明の開示】
【発明が解決しようとする課題】
【０００６】
本発明は前記問題点を解決することを目的とするものである。
【０００７】
この枠組みにおいて、本発明の目的は、軽量で所望の部分に最適な堅さを有するソールが当該分野の現状で得られるものよりもさらに堅い構造になるシューズを得ることにあり、さらに、そのようなシューズを簡単かつ安価に製造できる方法を示すことにある。
【課題を解決するための手段】
【０００８】
以下において明らかになるこれらの目的は、この記述の一体的部分として意図されている添付の特許請求の範囲の特徴を有するシューズおよびその製造方法である本発明によって達成される。
【０００９】
また、本発明の特徴および利点は、単なる例示であって非限定的な例として与えられた以下の詳細な説明および添付図面からより明らかになるであろう。
【発明を実施するための最良の形態】
【００１０】
図１において、符号１はサッカー用に想定されるシューズの全体を示す。シューズ１は本発明によって製造される。シューズ１は、上部２とソール３を備えている。これらは例えば接着などの公知の方法によって相互に接合される。
【００１１】
上部２の製造方法は、本発明の目的に属さないので、その詳細な説明および図示を行わない。ソール３は、ポリウレタンなどの合成材料からなっており、固定された複数のスタッド３Ａを有している。本発明では、ソール３の成形は、ソールを構成する合成材料内に、ソール３の少なくとも１つの部分に所望の剛性を与え、かつ、他の部分については所定の柔軟性を与えるように適当に形成された少なくとも１つの金属製挿入物を入れることで行われる。
【００１２】
図２には、全体が符号４で示される前記挿入物の第１実施形態が示される。挿入物４は、糸状の形状、または薄くて細長い形状を有する。そのために、挿入物４は、好ましくは鉄鋼からなる通常のワイヤから形成される。図示されるように、糸状挿入物４の展開に沿って、符号４Ｂで示すほぼ直線状の複数の伸張部を画定するように符号４Ａで示す複数の中間曲げ部が形成されている。図２に示す場合において、挿入物４は、４つの伸張部４Ｂを形成するように３つの中間曲げ部４Ａが設けられており、長手方向端部に終端曲げ部４Ｃを有している。
【００１３】
図３には、図１のシューズ１のソール３の概略断面が図示されており、ここにおいて幾つかの固定スタッド３Ａの位置が表されている。
【００１４】
図示されるように、糸状挿入物４の伸張部４Ｂはソール３の中央部分においてソール３の長さ方向に沿ってかつ横並びの関係でそのほとんどが延びている。このような伸張部４Ｂの構成は、スタッドがないソール３の中央部分に、長手方向における最適な剛性を与えることを可能する。
【００１５】
図３からは、後述する理由のために、挿入物４のすべての曲げ部４Ａ，４Ｃがソール３の各スタッド３Ａに対応してどのくらい近くに位置しているかも分かる。
【００１６】
図４には、本発明の変形例によって得られるソール３０の概略断面が示される。このソール３０は、金属製のジョイントまたは接続部３Ｂが設けられている。各接続部３Ｂは中央ねじ穴をそれぞれ有しており、そのネジ穴に公知の構成の交換可能なスタッド（図示せず）がねじ込まれることができる。
【００１７】
図４のソール３０では、図２に示すのと同様の糸状挿入物４が一体化されている。また、図４の実施形態では、ソール３０の中間曲げ部４Ａおよび終端曲げ部４Ｃがソール３０の各接続部３Ｂに対応してどのように位置しているかが分かる。さらに、この場合には、伸張部４Ｂがソール３０の中央部分において長手方向に、かつ横並びで延びている。
【００１８】
図５には、本発明にかかる糸状挿入物の別の実施形態が示されており、図６はその挿入物を備えたソール３を示す。これらの図においては、上述したのと技術的に均等な要素を示すために同じ符号が使用されていることが認識されるべきである。図５の糸状挿入物４では、符号Ｐ，Ｍ，Ａでそれぞれ示す３つの部分が見られる。部分Ｐにおいて、挿入物４は、１つの終端曲げ部４Ｃのほかに、ソール３の長手方向に対してほぼ横方向に延びる３つの伸張部４Ｄを形成するように３つの中間曲げ部４Ａを有する。
【００１９】
部分Ｐに続いて、大きい半径を有する中間曲げ部４Ａ'の後には部分Ｍがある。部分Ｍでは、ソール３の中央部分においてほぼ長手方向に、かつ横並びで延びる５つの伸張部４Ｂを形成するように４つの中間曲げ部４Ａが設けられている。
【００２０】
部分Ｍに続いて、大きい半径を有する別の中間曲げ部４Ａ'の後には部分Ａがある。部分Ａは、終端曲げ部４Ｃのほかに、７つの横方向伸張部４Ｄを形成するように６つの中間曲げ部４Ａを有する。
【００２１】
図６からも分かるように、部分Ｐ，Ｍ，Ａは、ソール３の後方部分、中央部分および前方部分の剛性手段(stiffening means)をそれぞれ構成するように設けられている。
【００２２】
図５の糸状挿入物４の部分Ｐおよび部分Ａについて、伸張部４Ｄの配置がどのようにソール３の各部分の横方向のねじれを防止可能にし、かつ、どのように長手方向における前記各部の必要な柔軟性を可能にするのかが分かる。
【００２３】
スタッドが装着された特定の場合には、各伸張部４Ｄは、横方向に横並びで配置された各スタッドに対応するソールの２点間に延びており、これにより前記スタッド間の剛性ブリッジ(stiffening bridges)が得られる。
【００２４】
また、図６に示す場合には、糸状挿入部４に設けられた曲げ部の主要部は、ソール３の各スタッド３Ａに対応して位置している。
【００２５】
図７，８は、図５に示されるものとほぼ同様の糸状挿入物４と、その挿入物が装着されたソール３０をそれぞれ示す。また、これらの図において、上述したのと技術的に均等な要素を示すために、先の図面と同じ符号が使用されている。
【００２６】
図示するように、図７，８の糸状挿入物４は、ソール３０の前方部分および後方部分についてより少ない数の横方向伸張部４Ｄを形成するように、図５，６の場合よりも少ない数の中間曲げ部４Ａを有する。
【００２７】
図９，１０に示す本発明の実施形態では、ソール３は、中央部分を堅くする(stiffening)ための挿入物４のほかに、ソールの前方部分を堅くするための別個の挿入物５が装着されている。
【００２８】
また、図９の挿入物４の場合、２つの終端曲げ部４Ｃに加えて、一連の中間曲げ部４Ａが設けられている。前記中間曲げ部４Ａのいくつかは大きい半径を有する。また、前記中間曲げ部４Ａは、スタッド３の対の間に剛性ブリッジをそれぞれ実現するほぼ長手方向の複数の伸張部４Ｂおよび２つの横方向伸張部４Ｄを得るためのものである。他方、挿入物５は、２つの終端曲げ部４Ｃに加えて、ソール３のほぼ横方向に延びる一連の伸張部４Ｄを形成する幾つかの中間曲げ部４Ａを有する。
【００２９】
推察できるように、図９，１０の実施形態の場合、糸状挿入物５は、伸張部４Ｄによって横方向においてソール３の前方部分を堅くすることができ、一方、長手方向においては同部分に必要な柔軟性を与える。
【００３０】
図１１，１２の実施形態では、
ソール３０の中央部分を長手方向に堅くするとともに、前記中央部分に隣接したスタッドの対について２つの横方向の剛性ブリッジを得るための挿入物４と、
既述の目的を有する、ソール３０の前方部分のためのさらに別個の横方向剛性挿入物５と、が設けられている。
【００３１】
図１１，１２に示される場合には、前記挿入物４，５の展開はそれぞれ閉じている。すなわち、各挿入物は、終端部を有しない。このような実施形態では、挿入物４は、２つの長手方向伸張部４Ｂと２つの横方向伸張部４Ｄを形成するために４つの中間曲げ部４Ａを有し、一方、挿入物５は、２つの横方向伸張部４Ｄを形成するために２つだけの曲げ部４Ａを有する。
【００３２】
本発明のシューズに適するソールの製造工程は、非常に簡単であり、挿入物上でソールの合成材料によって本体を成形することで得られる。
【００３３】
このために、ワイヤは、挿入物４を形成するために、すなわち、その間に伸張部４Ｂが横並びで形成されるように少なくとも複数の中間曲げ部４Ａが存在するように、それ自体公知の方法で加工される。このようにして得られた挿入物４は、それからソール３または３０が得られることになる型内に配置される。その結果、横並びで配列された前記伸張部４Ｂがソールの長手方向における中央部分にほぼ配置される。
【００３４】
挿入物５は、挿入物４を得るために使用されるのと同様の技術によって得られる。前記挿入物５は、得られることになるソールの前方部分に対応して、かつ、その伸張部４Ｄがソールの長手方向の展開に対して横方向に配置されるように前記型内に挿入される。
【００３５】
もし、前記ソールがスタッドが装着されるタイプのものである場合、挿入物４，５は、それぞれの曲げ部４Ａの少なくともいくつかがスタッドを形成することになる型の内部ピンに対応して、または、型内に少なくとも部分的に既に挿入されているねじ付き接続部３Ｂに対応して配置されるように、型内に配置される。上述したピンまたは接続部３Ｂの存在は、それぞれの型内に挿入物４および／または５を精度良く配置することを可能にする。
【００３６】
それから、合成材料または熱可塑性材料が型内に高温注入されて、ソールが成形される。この操作は、公知の方法で行われる。
【００３７】
本発明にかかる挿入物４，５は、糸状部材の簡単な変形によって得ることができ、従来技術のような熱可塑性材料での部材の成形よりも速くかつ安価である。また、糸状部材から始まる生産は、簡単かつ迅速な方法で、いかなる形状の挿入物４，５を得ることを可能にする。
【００３８】
上述した例では、挿入物４，５は、底ソール、すなわち地面に直接載るシューズの部分に組み込まれたが、本発明は中間ソールまたは内部ソールを得るために適用可能である。
【００３９】
前記説明から、本発明のシューズの特徴およびその製造方法は明らかであり、その特徴は添付の特許請求の範囲においてさらに詳述されている。
【００４０】
また、前記説明から、本発明の利点も明らかである。特に、上述したソールは、
簡単かつ安価に製造でき、
従来技術で得られるものよりも構造的に丈夫であっても重量が軽く、
中央部分に所望の剛性を与えることができる。
【００４１】
当然に、理解される本発明の原理と、実施形態の構成上の詳細および形状は、添付の特許請求の範囲に規定される本発明の範囲から外れることなく、例示として説明および図示されたものに対して広く変更可能である。
【００４２】
添付の図面は、本発明の可能な実施形態の幾つかだけを図示したものである。したがって、糸状挿入物の材料および構成は、いかなるスポーツ分野または異なる用途（すなわち、スポーツ以外）のために研究される特定の履き物に基づいて、要求に応じて異なってもよい。
【図面の簡単な説明】
【００４３】
【図１】本発明によって得られるスポーツシューズの斜視図である。
【図２】図１のシューズのソールの部材の平面図である。
【図３】図１のシューズのソールの概略長手方向断面図である。
【図４】本発明の第１変形例によって得られるシューズのソールの概略長手方向断面図である。
【図５】本発明の第２変形例によって得られるソールの部材の平面図である。
【図６】図５の部材を組み込んだソールの概略長手方向断面図である。
【図７】本発明の第３変形例によって得られるシューズのソールの部材の平面図である。
【図８】図７の部材を組み込んだソールの概略長手方向断面図である。
【図９】本発明の第４変形例によって得られるシューズのソールの２つの部材の平面図である。
【図１０】図９の２つの部材を組み込んだソールの概略長手方向断面図である。
【図１１】本発明の第５変形例によって得られるシューズのソールの２つの部材の平面図である。
【図１２】図１１の２つの部材を組み込んだソールの概略長手方向断面図である。
【符号の説明】
【００４４】
１…シューズ
２…上部
３，３０…ソール
３Ａ…固定スタッド
３Ｂ…接続部
４…挿入物
４Ａ…中間曲げ部
４Ｂ…伸張部
４Ｃ…終端曲げ部
４Ｄ…伸張部
５…挿入物
【図１】
2005512712.tif 000003
【図２】
2005512712.tif 000004
【図３】
2005512712.tif 000005
【図４】
2005512712.tif 000006
【図５】
2005512712.tif 000007
【図６】
2005512712.tif 000008
【図７】
2005512712.tif 000009
【図８】
2005512712.tif 000010
【図９】
2005512712.tif 000011
【図１０】
2005512712.tif 000012
【図１１】
2005512712.tif 000013
【図１２】
2005512712.tif 000014
【国際調査報告】
2005512712.tif 000015
2005512712.tif 000016